(57)【要約】【課題】プリズムをプリズム収容孔内に脱落することのないように確実に接合固定することができる斜視型内視鏡の先端部を提供すること。【解決手段】カバーレンズ１７の裏面に密接して座繰り状孔１６の底面に固定された受け板１８に、プリズム１５の入射面１９の外側の領域が接合固定された構成を有する斜視型内視鏡の先端部において、プリズム１５の光像入射面１９と光像射出面２４を除く他の複数の側面を挟むＵ字状のプリズム固定補助枠２６を設けて、プリズム１５をプリズム固定補助枠２６に接合固定すると共に、プリズム固定補助枠２６をプリズム収容孔１４の内壁部に接合固定した。【選択図】      図１
2008220711.tif 000002
【特許請求の範囲】
【請求項１】
挿入部の先端に配置された先端部本体に斜め前方に向いた先端斜面が形成されて、上記先端斜面に形成されたプリズム収容孔内にプリズムが配置され、上記プリズム収容孔の開口部に形成された座繰り状孔にカバーレンズが固着されると共に、上記カバーレンズの裏面に密接して上記座繰り状孔の底面に固定された受け板に、上記プリズムの光像入射面の外側の領域が接合固定された構成を有する斜視型内視鏡の先端部において、
上記プリズムの光像入射面と光像射出面を除く他の複数の側面を挟むＵ字状のプリズム固定補助枠を設けて、上記プリズムを上記プリズム固定補助枠に接合固定すると共に、上記プリズム固定補助枠を上記プリズム収容孔の内壁部に接合固定したことを特徴とする斜視型内視鏡の先端部。
【請求項２】
上記プリズム固定補助枠の内幅が上記プリズムの幅より狭く形成されていて、上記プリズム固定補助枠は内幅を上記プリズムの幅まで広がった状態に弾性変形させられて上記プリズムと接合されている請求項１記載の斜視型内視鏡の先端部。
【請求項３】
上記プリズム固定補助枠と上記受け板とが予め一体に形成されている請求項１記載の斜視型内視鏡の先端部。
【発明の詳細な説明】
【技術分野】
【０００１】
この発明は斜視型内視鏡の先端部に関する。
【背景技術】
【０００２】
斜視型内視鏡（超音波内視鏡を含む）においては一般に、図４に示されるように、挿入部の先端に配置された先端部本体９１に斜め前方に向いた先端斜面９２が形成されて、その先端斜面９２に形成されたプリズム収容孔９３内にプリズム９０が配置されている。
【０００３】
プリズム収容孔９３の開口部に形成された座繰り状孔９４にはカバーレンズ９５が固着され、カバーレンズ９５の裏面に密接して座繰り状孔９４の底面に固定された受け板９６には、プリズム９０の光像入射面９７の外側の領域（図５に示される斜線部）９８が接合固定されている（例えば、特許文献１）。
【特許文献１】特開２０００−２０１８８６
【発明の開示】
【発明が解決しようとする課題】
【０００４】
しかし、プリズム９０の光像入射面９７の外側の領域９８にはさほど十分な接合面積が確保されず、しかもプリズム９０の光像射出面９９に先端が面する状態に配置された対物鏡筒１００を介して信号ケーブル１０１の軸線方向の動きがプリズム９０に伝わった場合等には、受け板９６とプリズム９０の接合部に剥離力が作用するため、接合が破壊されてプリズム９０がプリズム収容孔９３内に脱落してしまう場合があった。
【０００５】
本発明は、プリズムをプリズム収容孔内に脱落することのないように確実に接合固定することができる斜視型内視鏡の先端部を提供することを目的とする。
【課題を解決するための手段】
【０００６】
上記の目的を達成するため、本発明の斜視型内視鏡の先端部は、挿入部の先端に配置された先端部本体に斜め前方に向いた先端斜面が形成されて、先端斜面に形成されたプリズム収容孔内にプリズムが配置され、プリズム収容孔の開口部に形成された座繰り状孔にカバーレンズが固着されると共に、カバーレンズの裏面に密接して座繰り状孔の底面に固定された受け板に、プリズムの光像入射面の外側の領域が接合固定された構成を有する斜視型内視鏡の先端部において、プリズムの光像入射面と光像射出面を除く他の複数の側面を挟むＵ字状のプリズム固定補助枠を設けて、プリズムをプリズム固定補助枠に接合固定すると共に、プリズム固定補助枠をプリズム収容孔の内壁部に接合固定したものである。
【０００７】
なお、プリズム固定補助枠の内幅がプリズムの幅より狭く形成されていて、プリズム固定補助枠は内幅をプリズムの幅まで広がった状態に弾性変形させられてプリズムと接合されていてもよく、プリズム固定補助枠と受け板とが予め一体に形成されていてもよい。
【発明の効果】
【０００８】
本発明によれば、プリズムの光像入射面と光像射出面を除く他の複数の側面を挟むＵ字状のプリズム固定補助枠を設けて、プリズムをプリズム固定補助枠に接合固定すると共に、プリズム固定補助枠をプリズム収容孔の内壁部に接合固定したことにより、プリズムをプリズム収容孔内に脱落することのないように確実に接合固定することができる。
【発明を実施するための最良の形態】
【０００９】
挿入部の先端に配置された先端部本体に斜め前方に向いた先端斜面が形成されて、先端斜面に形成されたプリズム収容孔内にプリズムが配置され、プリズム収容孔の開口部に形成された座繰り状孔にカバーレンズが固着されると共に、カバーレンズの裏面に密接して座繰り状孔の底面に固定された受け板に、プリズムの光像入射面の外側の領域が接合固定された構成を有する斜視型内視鏡の先端部において、プリズムの光像入射面と光像射出面を除く他の複数の側面を挟むＵ字状のプリズム固定補助枠を設けて、プリズムをプリズム固定補助枠に接合固定すると共に、プリズム固定補助枠をプリズム収容孔の内壁部に接合固定する。
【実施例】
【００１０】
以下、図面を参照して本発明の実施例を説明する。
図２は、超音波内視鏡の全体構成を示しており、挿入部１の基端に操作部２が連結され、挿入部１の先端領域に形成された湾曲部３は、操作部２に設けられた操作ノブ４を回転操作することによって任意に屈曲させることができる。
【００１１】
挿入部１の先端部分１０は、湾曲部３の先端に連結された先端部本体１１と、さらにその先端部本体１１の先側に連結された超音波プローブ１２とによって構成されている。
この実施例の超音波プローブ１２は、矢印Ａを中心として側方を斜め後方から斜め前方にわたって扇状に走査するいわゆるコンベックスタイプのものである。また、先端部本体１１に配置された観察光学系は矢印Ｂを観察光軸とする前方斜視型である。６は、ビデオプロセッサ兼光源装置に接続される光学観察信号側コネクタ、７は、超音波診断装置に接続される超音波信号側コネクタである。
【００１２】
図３は挿入部１の先端部分１０を示しており、先端部本体１１の側面部に斜め前方に向いた先端斜面１３が形成されて、その先端斜面１３に形成されたプリズム収容孔１４内にプリズム１５が配置されている。
【００１３】
プリズム収容孔１４の開口部に形成された座繰り状孔１６にはカバーレンズ１７が固着され、カバーレンズ１７の裏面に密接して座繰り状孔１６の底面に固定された受け板１８に、プリズム１５の光像入射面１９の外側の領域が接合固定されている。その部分の構成は、図５を参照して説明した従来のものと相違がない。
【００１４】
２１は、レンズ群２２が内蔵された対物鏡筒であり、内視鏡観察像を撮像するための固体撮像素子２３や電子部品等も内蔵されている。対物鏡筒２１の先端面はプリズム１５の光像射出面２４に当接している。２５は、撮像信号等を伝送するために挿入部１内に挿通配置された信号ケーブルである。
【００１５】
２６は、プリズム１５をプリズム収容孔１４内に強固に固定するためのプリズム固定補助枠である。プリズム固定補助枠２６は、金属又は硬質プラスチック材等によりプリズム１５の高さの半分程度（例えば１／３〜２／３程度）の一定の厚みで、図１に示されるように、プリズム１５がピッタリ嵌め込まれるＵ字状の断面形状に形成されて、プリズム１５の光像入射面１９と光像射出面２４ではない前面側から左右両側面を挟む状態に配置されている。
【００１６】
そして、プリズム１５の左右両側面とそこに当接するプリズム固定補助枠２６の内面壁とが接着剤で接合固定されている。図１に示される斜線部がその接合面２７である。なお、プリズム１５と接合されるプリズム固定補助枠２６の内面壁を予め粗面に形成しておくと接着力を高めることができる。
【００１７】
また、プリズム固定補助枠２６の内幅（即ち、プリズム１５の両側面を挟む面どうしの間の間隔）をプリズム１５の幅より狭く形成しておき、プリズム固定補助枠２６を内幅がプリズム１５の幅まで広がった状態に弾性変形させてプリズム１５と接合すれば、接着剤が硬化する間の位置ズレ等が発生しない。
【００１８】
そのようにしてプリズム１５と接合固定されたプリズム固定補助枠２６は前面壁２８がプリズム収容孔１４の内面壁と接合固定され（図３参照）、また、前述のように、プリズム１５の光像入射面１９の外側の領域が受け板１８に接合固定されると共に、受け板１８に面しているプリズム固定補助枠２６の端面も受け板１８と接合固定される。
【００１９】
その結果、プリズム１５が、プリズム収容孔１４内に強固に接合固定され、信号ケーブル２５の軸線方向の動き等が対物鏡筒２１を介してプリズム１５に繰り返し伝わっても、プリズム１５がプリズム収容孔１４内に脱落するような現象が発生しない。これは、プリズム１５を固定するための接着面積が増大したことのみならず、プリズム１５の側面の接合面２７に作用するのが剥離力ではなく剪断力になるので、接合面２７は容易に破壊されない。
【００２０】
なお、本発明は上記実施例に限定されるものではなく、例えば、プリズム固定補助枠２６を受け板１８と一体に形成すれば、プリズム１５の固定強度をより高めることができる。また、本発明は、超音波内視鏡以外の斜視型の一般内視鏡に適用することもできる。
【図面の簡単な説明】
【００２１】
【図１】本発明の実施例のプリズム保持部の部分分解斜視図である。
【図２】本発明の実施例の超音波内視鏡の全体構成図である。
【図３】本発明の実施例の超音波内視鏡の挿入部の先端部分の側面部分断面図である。
【図４】従来の超音波内視鏡の挿入部の先端部分の側面部分断面図である。
【図５】従来のプリズム保持部の部分分解斜視図である。
【符号の説明】
【００２２】
１  挿入部
１１  先端部本体
１３  先端斜面
１４  プリズム収容孔
１５  プリズム
１６  座繰り状孔
１７  カバーレンズ
１８  受け板
１９  光像入射面
２４  光像射出面
２６  プリズム固定補助枠
２７  接合面
２８  前面壁
【図１】
2008220711.tif 000003
【図２】
2008220711.tif 000004
【図３】
2008220711.tif 000005
【図４】
2008220711.tif 000006
【図５】
2008220711.tif 000007